(57)【要約】【課題】一端に鍔板を一体に形成し、他端部にネジ穴を形成した筒ネジと、この筒ネジの他端部にネジ穴に螺合する頭付きネジとで、ワークを被取り付け部材に取り付けるときに、または取り外すときに、頭付きネジを回すと、筒ネジも一緒に回らないようにすることを課題とする。【解決手段】筒ネジ１２の一端に鍔板１３が一体に形成され、この鍔板１３の内側面１３ａに複数の突起１６が形成され、前記筒ネジ１２の他端部に、頭付きネジ１５のネジ部１５ａが螺合されるネジ穴１４が形成されて構成されたバインダ金具の取付部材１１。【選択図】      図１
2005161708.tif 000002
【特許請求の範囲】
【請求項１】
筒ネジ（１２）の一端に鍔板（１３）が一体に形成され、この鍔板（１３）の内側面（１３ａ）に複数の突起（１６）が形成され、前記筒ネジ（１２）の他端部に、頭付きネジ（１５）のネジ部（１５ａ）が螺合されるネジ穴（１４）が形成されて構成されたことを特徴とするバインダ金具の取付部材（１１）。
【発明の詳細な説明】
【技術分野】
【０００１】
本発明は、例えば、パンフレットや小冊子などの紙葉類の綴込み保存に用いられる、いわゆるバインダを構成するバインダ金具を、厚紙等で作られた表紙と裏表紙の間の内面に取り付けるための改良された取付部材に関するものである。
【背景技術】
【０００２】
従来、厚紙等で作られた表紙と裏表紙の間の内面にバインダ金具を取り付けるための取付部材１は、図３に示すようなものであった。この図３を参照して、従来の取付部材１について説明すると、筒ネジ２の一端に円形板３が一体に形成されており、この筒ネジ２の他端部のネジ穴４に、頭付きネジ５のネジ部５ａが螺合されるようになっている。
【０００３】
この取付部材１を使用して、図示しないバインダ金具を、厚紙等で作られた表紙と裏表紙の間の内面に取り付けるには、前記厚紙等で作られた表紙と裏表紙の間に穿設した筒ネジ２の挿通孔に、その外側から前記筒ネジ２を挿通し、この筒ネジ２にバインダ金具に穿設した挿通孔を嵌合した後で、この筒ネジ２の他端部のネジ穴４に、前記頭付きネジ５のネジ部５ａが螺合されて、バインダ金具が取り付けられるようになっている。
【発明の開示】
【発明が解決しようとする課題】
【０００４】
近年、バインダ金具のような金属部材を取り付けたバインダを廃棄処分する際には、焼却できないバインダ金具は取り外さなければならないことになっている。このバインダ金具を取り外す場合には、前記頭付きネジ５をネジ回し具で緩む方向に回す際に、前記筒ネジ２も一緒に回って、取り外せない、という問題が生じる。
また、バインダ金具を取り付けるときに、前記頭付きネジ５を回す際にも、前記筒ネジ２も一緒に回って、バインダ金具を取り付けることができない、という問題が生じる。
【０００５】
そこで、本発明の課題は、前記のような問題を解決し、頭付きネジを回すときに、筒ネジが一緒に回らないようにしたバインダ金具の取付部材を提供することを目的とする。
【課題を解決するための手段】
【０００６】
前記課題を解決するため、請求項１に係る発明のバインダ金具の取付部材１１は、筒ネジ１２の一端に鍔板１３が一体に形成され、この鍔板１３の内側面１３ａ（筒ネジ１２側の面）に複数の突起１６が形成され、前記筒ネジ１２の他端部に、頭付きネジ１５のネジ部１５ａが螺合されるネジ穴１４が形成されて構成されている。なお、前記突起１６は先が尖ったものとすると好適である。
【０００７】
請求項１に係る発明のバインダ金具の取付部材１１によれば、筒ネジ１２の一端の鍔板１３の内側面１３ａに形成した複数の突起１６が、被取り付け部に当接して食い込み、筒ネジ１２が回り止めされ、頭付きネジ１５のみが確実に回るようになる。
【発明の効果】
【０００８】
請求項１に係る発明のようなバインダ金具の取付部材１１を用いて、バインダを構成する厚紙等で作られた表紙と裏表紙の間の内面に、バインダ金具を取り付けるには、この表紙と裏表紙の間に穿設した貫通孔に前記取付部材１１を構成する筒ネジ１２を貫通させ、さらに、この貫通した筒ネジ１２にバインダ金具の挿通孔を嵌合し、この嵌合した筒ネジ１２の他端部に形成したネジ穴１４に、前記頭付きネジ１５のネジ部１５ａを、ネジ回し具で回して螺合するときに、筒ネジ１２の一端の鍔板１３の内側面１３ａに形成した複数の突起１６が、表紙と裏表紙の間の外側に当接して食い込み、筒ネジ１２は回り止めされ、頭付きネジ１５のみが確実に回って、バインダ金具を速やかに取り付けることができる。また、バインダ金具を取り外すときにも、頭付きネジ１５のみが確実に逆回りして、バインダ金具を速やかに取り外すことができる。
【発明を実施するための最良の形態】
【０００９】
以下に本発明のバインダ金具の取付部材の実施の形態について、図面を参照して説明する。図１（ａ）は本発明のバインダ金具の取付部材の斜視図で、図１（ｂ）はこのバインダ金具の取付部材を使用してバインダ金具を、バインダを構成する表紙と裏表紙の間の内面に取り付ける説明図である。また、図２はこの取付部材１１を使用してバインダ金具を、バインダを構成する表紙と裏表紙の間の内面に取り付けた状態を示す斜視図である。
【００１０】
本発明のバインダ金具の取付部材１１は、図１および図２に示すように、金属製の筒ネジ１２の一端に鍔板１３が一体に形成され、この鍔板１３の内側面１３ａ、すなわち、筒ネジ１２側の面に、複数（この実施の形態においては２個）の突起１６を形成し、前記筒ネジ１２の他端部に、頭付きネジ１５のネジ部１５ａが螺合されるネジ穴１４が形成されて構成されている。
【００１１】
このバインダ金具の取付部材１１を用いて、バインダ金具１７をバインダを構成する表紙１８と裏表紙１９の間の内面２０に取り付けるには、図１（ｂ）に示すように、この表紙１８と裏表紙１９の間に穿設した貫通孔２０ａに、取付部材１１を構成する筒ネジ１２を貫通させ、さらに、この貫通した筒ネジ１２にバインダ金具１７の挿通孔１７ａを嵌合し、この嵌合した筒ネジ１２の他端部に形成したネジ穴１４に、頭付きネジ１５のネジ部１５ａを、ネジ回し具で回して螺合するときに、前記筒ネジ１２の一端の鍔板１３の内側面１３ａに形成した複数の突起１６が、表紙１８と裏表紙１９の間の外側２０′に当接して食い込み、この筒ネジ１２は回り止めされ、頭付きネジ１５のみが確実に回って、バインダ金具１７を速やかに取り付けることができる。また、バインダ金具１７を取り外すときにも、頭付きネジ１５のみが確実に逆回りして、バインダ金具１７を速やかに取り外すことができる。
【００１２】
なお、前記バインダ金具１７は周知のものであり、例えば、パンフレットや小冊子などの紙葉類の一側縁部に穿設した複数の細孔に挿通して紙葉類を綴込む複数のリング部材１７ｂを設け、この複数のリング部材１７ｂは、バインダ金具１７の両端部に設けたレバー１７ｃ，１７ｃを互いに外側に回動させることにより全てのリング部材１７ｂが二つ割になり、この二つ割になった複数のリング部材１７ｂ，・・・に、紙葉類の一側縁部に穿設した複数の細孔を嵌合した後に、前記レバー１７ｃ，１７ｃを互いに内側に回動させて、全てのリング部材１７ｂ，・・・をリング状に戻して、紙葉類を綴込むようにしている。
【図面の簡単な説明】
【００１３】
【図１】図１（ａ）は本発明のバインダ金具の取付部材の斜視図で、図１（ｂ）はこのバインダ金具の取付部材を使用してバインダ金具を、バインダを構成する表紙と裏表紙の間の内面に取り付ける説明図である。
【図２】本発明のバインダ金具の取付部材を使用してバインダ金具を、バインダを構成する表紙と裏表紙の間の内面に取り付けた状態を示す斜視図である。
【図３】従来のバインダ金具の取付部材の斜視図である。
【符号の説明】
【００１４】
１１      バインダ金具の取付部材
１２      金属製の筒ネジ
１３      鍔板
１３ａ    鍔板の内側面
１４      ネジ穴
１５      頭付きネジ
１５ａ    ネジ部
１６      突起
１７      バインダ金具
１７ａ    挿通孔
１７ｂ    リング部材
１７ｃ    レバー
１８      表紙
１９      裏表紙
２０      表紙と裏表紙の間の内面
２０′    外側
２０ａ    貫通孔
【図１】
2005161708.tif 000003
【図２】
2005161708.tif 000004
【図３】
2005161708.tif 000005